【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
遊技において遊技者がどの程度の遊技球を獲得できるかを示す度合である出玉率の異なる複数の設定値を有する弾球遊技機であって、
外部からの指示に応じて、複数の前記設定値のうちのいずれかを、前記弾球遊技機の現在の設定値とする設定手段と、
常時入賞可能な第１始動口と、
普通電動役物で構成された第２始動口と、
内部に特定領域が設けられた特定大入賞口を含む１又は複数の大入賞口と、
遊技者の有利さが異なる複数の種類の小当りのうちのいずれかを発生させる手段であって、前記第１始動口又は前記第２始動口への入球が生じると、前記現在の設定値に応じた確率で選択されたいずれかの種類の前記小当りを発生させる小当り手段と、
前記小当りに起因して、前記特定大入賞口を開放させる小当り遊技及び大当り遊技を含む遊技を実行する手段であって、前記小当りが発生すると前記小当り遊技を実行し、前記小当り遊技にて開放された前記特定大入賞口に遊技球が入球し、該遊技球が前記特定領域に進入すると、前記大当り遊技を実行する実行手段と、
前記大当り遊技の終了後に前記第２始動口への入球頻度を上昇させる時短状態と、
を備え、
前記実行手段は、前記小当りの種類に応じて、該小当りに起因して行われる遊技の内容を定め、
前記始動口への入球に基づくタイミングから、該入球に起因して行われる前記小当り遊技にて前記特定大入賞口が最初に開放されるまでの期間を、開始インターバルとし、
前記第１始動口への入球による前記小当りが発生した後の前記開始インターバルは、該小当りの種類に対応する長さ、又は、該小当りの種類に応じた確率で選択された長さであり、
前記小当り手段は、前記現在の設定値が遊技者に有利になるに従い、より高い確率で、対応する前記開始インターバルの短い種類の前記小当り、又は、より短い前記開始インターバルが選択される確率の高い種類の前記小当りを発生させ、
前記第２始動口への入球による前記小当りが発生した後の前記開始インターバルは、小当りの種類に関わらず一定の長さであること、
を特徴とする弾球遊技機。
【手続補正２】
【補正対象書類名】明細書
【補正対象項目名】０００６
【補正方法】変更
【補正の内容】
【０００６】
上記課題に鑑みてなされた請求項１に記載の弾球遊技機は、遊技において遊技者がどの程度の遊技球を獲得できるかを示す度合である出玉率の異なる複数の設定値を有する。該弾球遊技機は、外部からの指示に応じて、複数の設定値のうちのいずれかを、弾球遊技機の現在の設定値とする設定手段と、入賞可能な第１始動口と、普通電動役物で構成された第２始動口と、内部に特定領域が設けられた特定大入賞口を含む１又は複数の大入賞口と、遊技者の有利さが異なる複数の種類の小当りのうちのいずれかを発生させる手段であって、第１始動口又は第２始動口への入球が生じると、現在の設定値に応じた確率で選択されたいずれかの種類の小当りを発生させる小当り手段と、小当りに起因して、特定大入賞口を開放させる小当り遊技及び大当り遊技を含む遊技を実行する手段であって、小当りが発生すると小当り遊技を実行し、小当り遊技にて開放された特定大入賞口に遊技球が入球し、該遊技球が特定領域に進入すると、大当り遊技を実行する実行手段と、大当り遊技の終了後に第２始動口への入球頻度を上昇させる時短状態と、を備える。そして、実行手段は、小当りの種類に応じて、該小当りに起因して行われる遊技の内容を定める。また、始動口への入球に基づくタイミングから、該入球に起因して行われる小当り遊技にて特定大入賞口が最初に開放されるまでの期間を、開始インターバルとし、第１始動口への入球による小当りが発生した後の開始インターバルは、該小当りの種類に対応する長さ、又は、該小当りの種類に応じた確率で選択された長さであり、小当り手段は、現在の設定値が遊技者に有利になるに従い、より高い確率で、対応する開始インターバルの短い種類の小当り、又は、より短い開始インターバルが選択される確率の高い種類の前記小当りを発生させ、第２始動口への入球による小当りが発生した後の開始インターバルは、小当りの種類に関わらず一定の長さである。
【手続補正３】
【補正対象書類名】明細書
【補正対象項目名】０００７
【補正方法】変更
【補正の内容】
【０００７】
また、弾球遊技機は、遊技において遊技者がどの程度の遊技球を獲得できるかを示す度合である出玉率の異なる複数の設定値を有する。該弾球遊技機は、外部からの指示に応じて、複数の設定値のうちのいずれかを、弾球遊技機の現在の設定値とする設定手段と、内部に特定領域が設けられた特定大入賞口を含む１又は複数の大入賞口と、遊技者の有利さが異なる複数の種類の小当りのうちのいずれかを発生させる手段であって、始動口への入球が生じると、現在の設定値に応じた確率で選択されたいずれかの種類の小当りを発生させる小当り手段と、小当りに起因して、特定大入賞口を開放させる小当り遊技及び大当り遊技を含む遊技を実行する手段であって、小当りが発生すると小当り遊技を実行し、小当り遊技にて開放された特定大入賞口に遊技球が入球し、該遊技球が特定領域に進入すると、大当り遊技を実行する実行手段と、を備える。そして、実行手段は、小当りの種類に応じて、該小当りに起因して行われる遊技の内容を定める、ように構成しても良い。
このような構成によれば、始動口への入球により、現在の設定値に応じた有利さの小当りが発生する。そして、発生した小当りの有利さに応じて、該小当りに起因して行われる小当り遊技や大当り遊技等の遊技の内容が定められる。このため、所謂ハネモノの弾球遊技機において、現在の設定値に応じて好適に出玉率を調整可能となり、ホールや遊技者の利益調整を適切に行うことが可能となる。
【手続補正４】
【補正対象書類名】明細書
【補正対象項目名】０００８
【補正方法】変更
【補正の内容】
【０００８】
なお、弾球遊技機は、大当り遊技として、当該大当り遊技にて遊技者が獲得する平均的な遊技球の数の異なる複数の種類が設けられていても良い。そして、実行手段は、小当りにより開放された特定大入賞口に遊技球が入球し、該遊技球が特定領域に進入すると、該小当りの種類に対応する種類の大当り遊技、又は、該小当りの種類に応じた確率で選択されたいずれかの種類の大当り遊技を実行しても良い。
【手続補正５】
【補正対象書類名】明細書
【補正対象項目名】００１０
【補正方法】変更
【補正の内容】
【００１０】
また、弾球遊技機は、小当り遊技において特定大入賞口を開放させる開放パターンとして、特定大入賞口へ遊技球が入球する確率が異なる複数の種類が設けられていても良い。そして、実行手段は、小当りが発生すると、該小当りの種類に対応する種類の開放パターンの小当り遊技、又は、該小当りの種類に応じた確率で選択されたいずれかの種類の開放パターンの小当り遊技を実行しても良い。
【手続補正６】
【補正対象書類名】明細書
【補正対象項目名】００１１
【補正方法】変更
【補正の内容】
【００１１】
このような構成によれば、小当りの種類に応じて特定大入賞口の開放パターンが決まるため、小当りの種類に応じて大当り遊技が実行される確率が決定される。このため、現在の設定値に応じて、容易且つ確実に出玉率を調整可能となる。
また、弾球遊技機は、始動口への入球に基づくタイミングから、該入球に起因して行われる小当り遊技にて特定大入賞口が最初に開始されるまでの期間を、開始インターバルとしても良い。そして、小当りが発生した後の開始インターバルは、該小当りの種類に対応する長さ、又は、該小当りの種類に応じた確率で選択された長さであっても良い。
【手続補正７】
【補正対象書類名】明細書
【補正対象項目名】００１３
【補正方法】変更
【補正の内容】
【００１３】
また、弾球遊技機は、特定大入賞口の内部には、特定大入賞口に入球した遊技球の進路を変更可能な動作パターンで動作する振分け部材が設けられており、動作パターンとして、特定大入賞口の内部に進入した遊技球が特定領域に進入する確率が異なる複数の種類が設けられていても良い。そして、実行手段は、小当りに起因して実行される小当り遊技において、該小当りの種類に対応する種類の動作パターン、又は、該小当りの種類に応じた確率で選択されたいずれかの種類の動作パターンで振分け部材を動作させても良い。